(57)【要約】【課題】溶液を好適に濃縮し得る方法を提供する。【解決手段】溶液３０が貯留される溶液貯留部１４と、溶液貯留部１４よりも上方に設けられた導入口１５ａ及び排出口２２ｄとを有する容器１の溶液貯留部１４に溶液３０を入れる。溶液３０から蒸気を発生させながら、導入口１５ａから気体を導入し、蒸気を気体と共に排出口２２ｄから排出させることにより溶液３０を濃縮し、濃縮溶液を得る濃縮工程を行う。濃縮工程において、容器１内を正圧とする。【選択図】図１
2014228513.tif 000002
【特許請求の範囲】
【請求項１】
溶液が貯留される溶液貯留部と、前記溶液貯留部よりも上方に設けられた導入口及び排出口とを有する容器の前記溶液貯留部に溶液を入れる工程と、
前記溶液から蒸気を発生させながら、前記導入口から気体を導入し、前記蒸気を前記気体と共に前記排出口から排出させることにより前記溶液を濃縮し、濃縮溶液を得る濃縮工程と、
を備え、
前記濃縮工程において、前記容器内を正圧とする、濃縮溶液の製造方法。
【請求項２】
前記導入口の前記溶液貯留部側の端部と前記排出口の前記溶液貯留部側の端部とは、同一直線上に位置しないように設けられている、請求項１に記載の濃縮溶液の製造方法。
【請求項３】
上下方向において、前記導入口の前記溶液貯留部側の端部は、下方に向かって延びている一方、前記排出口の前記溶液貯留部側の端部は、上方に向かって延びている、請求項２に記載の濃縮溶液の製造方法。
【請求項４】
前記導入口は、前記導入口の前記溶液貯留部側の端部の延長線上に前記溶液貯留部が位置しないように、斜め下方に向かって延びるように設けられている、請求項３に記載の濃縮溶液の製造方法。
【請求項５】
前記導入口の流路面積は、前記排出口の流路面積よりも小さい、請求項１〜４のいずれか一項に記載の濃縮溶液の製造方法。
【請求項６】
前記容器内に導入される前記気体の単位時間あたりの体積が、単位時間あたりに発生する前記蒸気の体積よりも少ない、請求項１〜５のいずれか一項に記載の濃縮溶液の製造方法。
【請求項７】
前記濃縮工程において、前記溶液を加熱することにより前記蒸気を発生させる、請求項１〜６のいずれか一項に記載の濃縮溶液の製造方法。
【請求項８】
前記溶液が、水を含む、請求項１〜７のいずれか一項に記載の濃縮溶液の製造方法。
【請求項９】
前記溶液が濃硫酸である、請求項１〜８のいずれか一項に記載の濃縮溶液の製造方法。
【請求項１０】
溶液を濃縮するための容器であって、
溶液が貯留される溶液貯留部と、
前記溶液貯留部よりも上方に設けられており、気体を導入するための導入口と、
溶液貯留部よりも上方に設けられており、前記気体と共に、前記溶液から発生した蒸気が排出される排出口と、
を備え、
前記導入口の前記溶液貯留部側の端部と前記排出口の前記溶液貯留部側の端部とは、同一直線上に位置しないように設けられている、溶液濃縮用容器。
【請求項１１】
上下方向において、前記導入口の前記溶液貯留部側の端部は、下方に向かって延びている一方、前記排出口の前記溶液貯留部側の端部は、上方に向かって延びている、請求項１０に記載の溶液濃縮用容器。
【請求項１２】
前記導入口は、前記導入口の前記溶液貯留部側の端部の延長線上に前記溶液貯留部が位置しないように、斜め下方に向かって延びるように設けられている、請求項１１に記載の溶液濃縮用容器。
【請求項１３】
前記導入口の流路面積は、前記排出口の流路面積よりも小さい、請求項１０〜１２のいずれか一項に記載の溶液濃縮用容器。
【請求項１４】
前記溶液貯留部と、前記導入口とが設けられた容器本体と、
前記排出口が設けられた蓋部と、
を備え、
前記容器本体は、
前記溶液貯留部と、前記導入口とが設けられた第１の部分と、
前記第１の部分から上方に向かって延び、前記溶液貯留部に接続された開口を有する第２の部分と、
を有し、
前記開口と前記排出口とが接続されるように、前記第２の部分と前記蓋部とが固定されている、請求項１０〜１３のいずれか一項に記載の溶液濃縮用容器。
【発明の詳細な説明】
【技術分野】
【０００１】
本発明は、濃縮溶液の製造方法及び溶液濃縮用容器に関する。
【背景技術】
【０００２】
半導体製造プロセスなどに使用される高純度溶液に含まれる不純物の濃度を高精度に測定したいという要望がある。
【０００３】
特許文献１には、不純物濃度測定用のサンプルを製造するために溶液を濃縮する方法として、以下の方法が記載されている。溶液試料を入れた試料容器を、吸気口と排気口とを有する濃縮槽内に配置する。その状態で、吸気口から濃縮槽内に清浄な気体を連続的に送り込みながら、濃縮槽の外側から溶液試料を加熱して溶液試料から発生した蒸気を送入した気体と共に排気口から排気する。これにより、溶液試料を濃縮する。
【先行技術文献】
【特許文献】
【０００４】
【特許文献１】特開平１０−１１１２２６号公報
【発明の概要】
【発明が解決しようとする課題】
【０００５】
特許文献１に記載の方法では、吸気口から排気口へと向かう気体の気流に溶液試料から発生した蒸気が巻き込まれる。これにより、蒸気が気体と共に排気される。このため、特許文献１に記載の方法では、吸気口及び排気口を同一直線上に配置し、濃縮槽が負圧になるように気体の送入及び排気を行う必要がある。
【０００６】
特許文献１に記載の方法では、溶液試料の攪拌等を行わないため、溶液試料が液体の状態で飛散しにくい。よって、溶液試料に含まれている溶質が試料容器内に留まりやすい。このため、試料容器中の溶質の量が変化しにくい。従って、特許文献１に記載の方法を用いることにより、溶液試料中の不純物濃度を高精度に測定し得る。
【０００７】
しかしながら、不純物濃度のより高精度な測定を行うために、溶液をさらに好適に濃縮し得る方法が求められている。例えば、不純物の混入をより効果的に抑制しつつ、溶液を濃縮し得る方法が求められている。
【０００８】
本発明の主な目的は、溶液を好適に濃縮し得る方法を提供することにある。
【課題を解決するための手段】
【０００９】
本発明に係る濃縮溶液の製造方法では、溶液が貯留される溶液貯留部と、溶液貯留部よりも上方に設けられた導入口及び排出口とを有する容器の溶液貯留部に溶液を入れる。溶液から蒸気を発生させながら、導入口から気体を導入し、蒸気を気体と共に排出口から排出させることにより溶液を濃縮し、濃縮溶液を得る濃縮工程を行う。濃縮工程において、容器内を正圧とする。
【００１０】
本発明に係る溶液濃縮用容器は、溶液を濃縮するための容器である。本発明に係る溶液濃縮用容器は、溶液貯留部と、気体を導入するための導入口と、排出口とを備える。溶液貯留部には、溶液が貯留される。導入口は、溶液貯留部よりも上方に設けられている。排出口は、溶液貯留部よりも上方に設けられている。排出口からは、気体と共に、溶液から発生した蒸気が排出される。導入口の溶液貯留部側の端部と排出口の溶液貯留部側の端部とは、同一直線上に位置しないように設けられている。
【発明の効果】
【００１１】
本発明によれば、溶液を好適に濃縮し得る方法を提供することができる。
【図面の簡単な説明】
【００１２】
【図１】第１の実施形態における溶液濃縮用容器の略図的断面図である。
【図２】第１の実施形態における溶液濃縮用容器の略図的正面図である。
【図３】第１の実施形態における溶液濃縮用容器の略図的分解斜視図である。
【図４】第２の実施形態における溶液濃縮用容器の略図的正面図である。
【図５】第３の実施形態における溶液濃縮用容器の略図的正面図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
（第１の実施形態）
図１は、第１の実施形態における溶液濃縮用容器の略図的断面図である。図２は、第１の実施形態における溶液濃縮用容器の略図的正面図である。図３は、第１の実施形態における溶液濃縮用容器の略図的分解斜視図である。
【００１６】
本実施形態では、図１〜図３に示す溶液濃縮用容器１を用いて、濃縮溶液を製造する方法について説明する。まず、溶液濃縮用容器１の構成について説明する。なお、本明細書において、方向は、溶液濃縮用容器１を水平な平坦面に配置したときに方向である。
【００１７】
（溶液濃縮用容器１）
溶液濃縮用容器１は、溶液を濃縮するための容器である。
【００１８】
溶液濃縮用容器１の材質は、濃縮しようとする溶液に対して高い耐性を有するものである限りにおいて特に限定されない。溶液濃縮用容器１は、例えば、石英などにより構成することができる。溶液濃縮用容器１は、透明であってもよいし、半透明であってもよいし、不透明であってもよい。
【００１９】
溶液濃縮用容器１は、容器本体１０と、蓋部２０とを有する。
【００２０】
容器本体１０は、第１の部分１０ａと、第２の部分１０ｂとを有する。
【００２１】
第１の部分１０ａは、底壁部１１と、側壁部１２と、頂壁部１３とを有する。底壁部１１は、中央部が最も低く、外側に向かって高くなるように設けられている。具体的には、底壁部１１は、逆円錐状に設けられている。底壁部１１の底面からは、複数の脚部４０が下方に向かって延びている。複数の脚部４０は、側壁部１２の中心軸を中心とする円に沿って等間隔に配置されている。これら複数の脚部４０によって容器本体１０が支持されている。脚部４０の本数は、３〜６本程度であることが好ましい。本実施形態では、５本の脚部４０が設けられている。
【００２２】
底壁部１１の外縁部には、側壁部１２が接続されている。側壁部１２は、略円筒状に設けられている。側壁部１２は、底壁部１１から上方に向かって延びている。なお、側壁部１２は、上方に向かって幅広となるように設けられていてもよいし、幅狭となるように設けられていてもよい。
【００２３】
側壁部１２の上端部には、頂壁部１３が接続されている。本実施形態では、頂壁部１３は、略水平となるように設けられている。但し、本発明は、この構成に限定されない。頂壁部１３は、例えば、中央側に向かって高くなるように設けられていてもよいし、中央側に向かって低くなるように設けられていてもよい。頂壁部１３は、例えば、略平板状に設けられていてもよいし、曲板状に設けられていてもよい。
【００２４】
図１に示されるように、頂壁部１３の中央部には、開口１３ａが設けられている。頂壁部１３の内側端部には、第２の部分１０ｂが接続されている。第２の部分１０ｂは、頂壁部１３の内側端部から上方に向かって延びている。第２の部分１０ｂは、略円筒状に設けられている。詳細には、第２の部分１０ｂの外径は、上方に向かって漸減している。
【００２５】
容器本体１０の底部には、濃縮しようとする溶液３０が貯留される溶液貯留部１４が設けられている。溶液貯留部１４は、底壁部１１と側壁部１２とにより構成されていてもよいし、底壁部１１のみによって構成されていてもよい。溶液貯留部１４の体積は、通常、容器本体１０の体積の５％〜１５％程度である。
【００２６】
容器本体１０の溶液貯留部１４よりも上方に位置する部分には、導入管１５が接続されている。具体的には、本実施形態では、導入管１５は、頂壁部１３に接続されている。より具体的には、導入管１５は、頂壁部１３の側壁部１２との接続部に接続されている。もっとも、導入管１５は、容器本体１０の他の部分に接続されていてもよい。例えば、導入管１５は、側壁部１２に接続されていてもよい。
【００２７】
導入管１５は、導入口１５ａを有する。導入口１５ａは、溶液貯留部１４を含む、容器本体１０の内部空間に接続されている。導入口１５ａは、導入口１５ａの溶液貯留部１４側の端部１５ａ１の延長線上に溶液貯留部１４が位置しないように、斜め下方に向かって延びるように設けられている。すなわち、導入口１５ａは、導入口１５ａの溶液貯留部１４側の端部１５ａ１の中心軸Ｃの延長線上に溶液貯留部１４が位置しないように、斜め下方に向かって延びるように設けられている。もっとも、導入口１５ａの溶液貯留部１４側の端部１５ａ１は、例えば、水平に延びるように設けられていてもよい。本実施形態では、導入口１５ａは、直線状に設けられているが、曲線状に設けられていてもよい。
【００２８】
第２の部分１０ｂは、蓋部２０に挿入されて固定されている。蓋部２０は、第２の部分１０ｂが嵌合挿入されるように設けられている。蓋部２０は、蓋部本体２１と、排出管２２とを有する。蓋部本体２１は、略円筒状に設けられている。蓋部本体２１の内径は、下方に向かって漸増している。蓋部本体２１の内径は、第２の部分１０ｂの外径と略同一である。第２の部分１０ｂは、蓋部本体２１に嵌合挿入されて固定されている。
【００２９】
蓋部本体２１の上端部には、排出管２２が接続されている。排出管２２は、基端部２２ａと、屈曲部２２ｂと、先端部２２ｃとを有する。基端部２２ａは、蓋部本体２１に接続されている。基端部２２ａは、蓋部本体２１から上方に延びている。基端部２２ａの上端部と、先端部２２ｃの一方側の端部とは、屈曲部２２ｂによって接続されている。先端部２２ｃは、屈曲部２２ｂ側から斜め下方に向かって延びている。
【００３０】
排出管２２は、排出口２２ｄを有する。排出口２２ｄは、溶液貯留部１４よりも上方に設けられている。排出口２２ｄは、容器本体１０の内部空間と接続されている。排出口２２ｄの溶液貯留部１４側の端部２２ｄ１と、導入口１５ａの溶液貯留部１４側の端部１５ａ１とは、同一直線上に位置しないように設けられている。
【００３１】
（濃縮溶液の製造方法）
次に、溶液濃縮用容器１を用いた濃縮溶液の製造方法について説明する。
【００３２】
まず、溶液濃縮用容器１の溶液貯留部１４に、濃縮しようとする溶液３０を入れる。具体的には、蓋部２０を容器本体１０から取り外した状態で、第２の部分１０ｂから溶液３０を溶液貯留部１４に流し込む。
【００３３】
溶液３０の種類は、特に限定されない。溶液３０は、水を含んでいてもよい。溶液３０は、水溶液であってもよいし、有機溶液であってもよい。溶液３０は、例えば、濃硫酸、濃硝酸などであってもよい。
【００３４】
次に、溶液３０から蒸気を発生させながら、導入口１５ａから気体を導入し、溶液３０から発生した蒸気を、導入した気体と共に、排出口２２ｄから排出させる。これにより、溶液３０を濃縮し、濃縮溶液を得る。
【００３５】
溶液３０から蒸気を発生させる方法は、特に限定されない。例えば、溶液３０を加熱することにより溶液３０から蒸気を発生させてもよい。
【００３６】
導入口１５ａから導入される気体は、清浄な気体であることが好ましい。好ましい気体の具体例としては、例えば、窒素やアルゴンなどの不活性ガス等が挙げられる。
【００３７】
ところで、高い濃縮効率を実現する観点からは、特許文献１に記載のように、吸気口と排気口とを同一直線上に設け、吸気口から排気口へと向かう気体の気流に溶液試料から発生した蒸気を巻き込ませて排気させることが好ましい。しかしながら、この場合は、容器内が負圧となる。このため、容器外から容器内に異物が流入する虞がある。異物が流入すると、溶液を好適に濃縮できない。例えば、濃硫酸中に含まれる金属濃度を測定するために、濃硫酸を濃縮する場合に、濃縮工程において、金属製の異物が流入すると、金属濃度を正確に測定することができない。
【００３８】
そこで、本実施形態では、排出口２２ｄの溶液貯留部１４側の端部２２ｄ１と、導入口１５ａの溶液貯留部１４側の端部１５ａ１とを、同一直線上に位置しないように設け、濃縮工程において、溶液濃縮用容器１の内部を正圧とする。このようにすることにより、外部から溶液濃縮用容器１内への異物の混入を抑制することができる。
【００３９】
さらに、濃縮工程において、溶液濃縮用容器１内を正圧とすることにより、溶液３０の突沸を抑制することができる。このため、突沸することにより、溶質が溶液濃縮用容器１の内壁面に付着することを抑制することができる。
【００４０】
従って、本実施形態の方法によれば、溶液３０を好適に濃縮することができる。本実施形態の方法により製造された濃縮溶液を用いることにより、例えば、溶液３０に含まれていた不純物などの濃度を高精度に測定することができる。従って、本実施形態の溶液濃縮用容器１及びそれを用いた濃縮溶液の製造方法は、溶液の濃度分析、濃度分析用濃縮溶液の製造、溶液の濃度調整、水溶性化合物の水性媒体からの取得等に有用である。
【００４１】
溶液３０内への不純物の混入をより効果的に抑制する観点からは、導入口１５ａが、導入口１５ａの溶液貯留部１４側の端部１５ａ１の延長線上に溶液貯留部１４が位置しないように設けられていることが好ましい。導入口１５ａから導入された気体によって、溶液３０の液面変動が生じにくくなるためである。
【００４２】
同様に、導入口１５ａから導入する気体の単位時間あたりの量を少なくすることが好ましい。具体的には、溶液濃縮用容器１に導入される気体の単位時間あたりの体積は、単位時間あたりに発生する蒸気の体積よりも少ないことが好ましい。溶液濃縮用容器１に導入される気体の単位時間あたりの体積は、単位時間あたりに発生する蒸気の体積の１０倍以下であることが好ましく、６倍以下であることがより好ましい。溶液濃縮用容器１に導入される気体の単位時間あたりの体積は、単位時間あたりに発生する蒸気の体積の２倍以上であることが好ましく、５倍以上であることがより好ましい。溶液濃縮用容器１に導入される気体の流量は、例えば、１０Ｌ／時間〜４０Ｌ／時間程度であることが好ましく、２０Ｌ／時間〜３０Ｌ／時間程度であることがより好ましい。
【００４３】
なお、溶液３０の突沸の問題は、溶液３０が水を含む場合に生じる問題である。従って、本実施形態の方法は、水を含む溶液３０を濃縮する場合に特に有効である。
【００４４】
以下、本発明の好ましい実施形態の他の例について説明する。以下の説明において、上記第１の実施形態と実質的に共通の機能を有する部材を共通の符号で参照し、説明を省略する。
【００４５】
（第２及び第３の実施形態）
図４は、第２の実施形態における溶液濃縮用容器１ａの略図的正面図である。図５は、第３の実施形態における溶液濃縮用容器１ｂの略図的正面図である。溶液濃縮用容器１ａ、１ｂは、それぞれ、第１の実施形態における溶液濃縮用容器１と、蓋部２０が拡径部２３を有する点で異なる。拡径部２３は、蓋部本体２１と排出管２２との間に配されている。拡径部２３の内径は、第２の部分１０ｂの内径よりも大きい。
【００４６】
また、溶液濃縮用容器１ｂでは、容器本体１０に温度計等を挿入するための溶液貯留部１４に至る管部１９が設けられている。
【符号の説明】
【００４７】
１、１ａ、１ｂ…溶液濃縮用容器
１０…容器本体
１０ａ…第１の部分
１０ｂ…第２の部分
１１…底壁部
１２…側壁部
１３…頂壁部
１３ａ…開口
１４…溶液貯留部
１５…導入管
１５ａ…導入口
１５ａ１…端部
１９…管部
２０…蓋部
２１…蓋部本体
２２…排出管
２２ａ…基端部
２２ｂ…屈曲部
２２ｃ…先端部
２２ｄ…排出口
２２ｄ１…端部
２３…拡径部
３０…溶液
４０…脚部
【図１】
2014228513.tif 000003
【図２】
2014228513.tif 000004
【図３】
2014228513.tif 000005
【図４】
2014228513.tif 000006
【図５】
2014228513.tif 000007